(57)【要約】本明細書では、音楽認識のための様々なシステムおよび方法が開示されている。例えば、現在再生中の曲の識別情報を組み込んだデータ信号を受信するように動作可能なデータ受信機を備えた音楽認識デバイスが開示されている。音楽認識デバイスは、メモリおよびプロセッサをさらに備えている。メモリは、プロセッサによって実行可能な、データ信号を構文解析するための命令、および識別情報がメモリに記憶されるようにするための命令を含んでいる。識別情報の少なくとも一部分は、現在再生中の曲が終了した後もメモリ内で維持される。
2010530547.tif 000002
【特許請求の範囲】
【請求項１】
データ信号を受信するように動作可能なデータ受信機であって、前記データ信号が、現在再生中の曲の識別情報を含む、データ受信機と、
プロセッサと、
メモリであって、前記プロセッサによって実行可能な、
前記データ信号を構文解析するための命令、および前記識別情報が前記メモリに記憶されるようにするための命令
を含むメモリと
を備えた携帯電話であって、
前記メモリが、前記識別情報の少なくとも一部分を受信し、前記現在再生中の曲が終了した後も前記識別情報の前記一部分を維持するために割り振り可能な一部分を備える、携帯電話。
【請求項２】
データ信号を受信するように動作可能なデータ受信機であって、前記データ信号が、現在再生中の曲の識別情報を含む、データ受信機と、
メモリと、
プロセッサであって、前記メモリが、プロセッサによって実行可能な、
前記データ信号を構文解析するための命令、および前記識別情報が前記メモリに記憶されるようにするための命令
を含むプロセッサと
を備えた音楽認識デバイスであって、
前記現在再生中の曲が終了した後も前記識別情報の少なくとも一部分が前記メモリ内で維持される、音楽認識デバイス。
【請求項３】
前記識別情報が曲の題名およびアーティストを含む、請求項２に記載の音楽認識デバイス。
【請求項４】
前記識別情報が音楽ソースの位置をさらに含む、請求項３に記載の音楽認識デバイス。
【請求項５】
前記音楽認識デバイスが、前記音楽認識デバイスの位置を提供するように動作可能な位置回路を備え、前記音楽認識デバイスの前記位置が前記識別情報に関連付けられて記憶される、請求項２に記載の音楽認識デバイス。
【請求項６】
前記メモリが、前記プロセッサによって実行可能な、前記識別情報に関連付けてタイムスタンプを記憶するための命令をさらに含み、前記タイムスタンプが、前記現在再生中の曲がいつ再生されたかのおよその時刻を示す、請求項２に記載の音楽認識デバイス。
【請求項７】
携帯電話、パーソナル・デジタル・アシスタント、ラップトップ・コンピュータ、デジタル音楽プレーヤおよびデジタル・ビデオ・プレーヤからなるグループから選択された電子デバイスに組み込まれた、請求項２に記載の音楽認識デバイス。
【請求項８】
前記データ受信機が無線受信機である、請求項２に記載の音楽認識デバイス。
【請求項９】
前記無線受信機が、８０２．１１プロトコルおよびＢｌｕｅｔｏｏｔｈプロトコルからなるグループから選択されたプロトコルを使用して情報を受信できる、請求項８に記載の音楽認識デバイス。
【請求項１０】
スピーカおよび無線データ送信機を備えている音楽ソースであって、前記無線データ送信機を介してデータ信号を伝送するように動作可能であり、前記スピーカを介してオーディオ信号を伝送するように動作可能であり、前記オーディオ信号が現在再生中の曲であり、前記データ信号が、現在再生中の曲の識別情報を含む、音楽ソース
を備えた音楽認識システム。
【請求項１１】
前記音楽ソースが、デジタル音楽プレーヤおよびラジオ受信機からなるグループから選択される、請求項１０に記載の音楽認識システム。
【請求項１２】
前記識別情報が曲の題名およびアーティストを含む、請求項１０に記載の音楽認識システム。
【請求項１３】
前記識別情報が前記音楽ソースの位置をさらに含む、請求項１１に記載の音楽認識システム。
【請求項１４】
前記無線データ送信機が、８０２．１１プロトコルおよびＢｌｕｅｔｏｏｔｈプロトコルからなるグループから選択されたプロトコルを使用して情報を送信できる、請求項１０に記載の音楽認識システム。
【請求項１５】
音楽認識のための方法であって、
データ受信機と、
メモリと
を備えた音楽認識デバイスを提供することと、
前記データ受信機で、現在再生中の曲の識別情報を含むデータ信号を受信することと、
前記識別情報の少なくとも一部分を前記メモリに記憶することと、
前記現在再生中の曲が停止した後も前記識別情報の前記一部分を前記メモリ内で維持することと
を含む方法。
【請求項１６】
前記識別情報の前記一部分を前記メモリからアクセスすることと、
前記現在再生中の曲が停止した後、前記識別情報によって識別された曲を含む音楽媒体を注文するために前記識別情報の一部分を使用することと
をさらに含む、請求項１５に記載の音楽認識のための方法。
【請求項１７】
前記識別情報の前記一部分が曲の題名およびアーティストを含む、請求項１５に記載の音楽認識のための方法。
【請求項１８】
ユーザが前記現在再生中の曲に接した場所を前記メモリに記憶することをさらに含む、請求項１５に記載の方法。
【請求項１９】
前記現在再生中の曲がいつ再生されたかのおよその時刻を前記メモリに記憶することをさらに含む、請求項１５に記載の方法。
【請求項２０】
前記音楽認識デバイスが、携帯電話、パーソナル・デジタル・アシスタント、ラップトップ・コンピュータ、デジタル音楽プレーヤおよびデジタル・ビデオ・プレーヤからなるグループから選択された電子デバイスに組み込まれる、請求項１５に記載の方法。
【請求項２１】
前記データ信号が、８０２．１１プロトコルおよびＢｌｕｅｔｏｏｔｈプロトコルからなるグループから選択された無線プロトコルを介して受信される、請求項１５に記載の方法。
【発明の詳細な説明】
【技術分野】
【０００１】
本発明は音楽認識に関し、より詳しくは、識別される音楽に関する様々な情報に基づいて音楽を識別するためのシステムおよび方法に関する。
【背景技術】
【０００２】
聞き手は、例えば、自宅でステレオを聴いていたり、自動車の中で、あるいはレストランやバーで聴いていたりするなど、様々な状況で音楽に接している。多くの場合、聞き手は、聴き終わった後も頭の中でその楽曲が繰り返されていることに気が付くだろう。そのような場合、聞き手は、その楽曲の名前およびアーティストを知って、それを購入したいと思うことがあるだろう。この目的のために、１つまたは複数の音楽認識システムが開発されている。
【０００３】
図１に進むと、１つのそのような音楽認識システム１００の例が示されている。音楽認識システム１００は、ＣＤプレーヤ、ラジオなどであってよい音楽ソース１１０を含む。音楽ソース１１０は１つまたは複数の曲１２５を再生し、１人または複数の聞き手１３０がその曲を聴く。聞き手１３０のうちの１人が、携帯電話１５０を使って、携帯電話ネットワーク１７０を介して音楽認識サービス１４０に接続することがあるだろう。接続されると、携帯電話１５０は曲１２５に接し、曲１２５は携帯電話１５０のマイクロフォンを介して音楽認識サービス１４０に使用可能になる。すると、音楽認識サービス１４０は曲１２５の一部分に認識アルゴリズムを適用し、その曲のパターン（複数）を一致するものが見つかるまでいくつかの既知のパターンと比較する。次いで、一致した楽曲の識別情報がデータ１４７として携帯電話に送信される。聞き手は、受信されたデータを使用して曲１２５を識別することができる。
【０００４】
前述の方法は有用ではあるが、この方法は、聞き手が携帯電話をすぐに操作すること、現在の活動を中断できること、およびオーディオ伝送の品質に依存する。しかし、多くの場合、聞き手は電話機をすぐに操作できない、または現在の活動を中断できない。さらに、聞き手は、そのようなシステムを利用するためにアクセスごとに料金を払いたくないこともあるだろうし、曲およびアーティストが識別されたときに、それを聞き手に中継するために使用されることがあるテキスト・メッセージングに料金を払いたくないことがあるだろう。さらに、通信ネットワークを介して曲を再伝送することは、再伝送される曲の著作権を侵害する可能性もある。最後に、オーディオ伝送は、ユーザに近接した周囲の騒音の影響を受けることがあり、また音楽受信機および／または携帯電話ネットワークによって歪みが生ずることもある。この場合、曲は、音楽識別サービスによって認識されないこともある。
【０００５】
したがって、少なくとも上述の理由のため、当技術分野には、音楽認識のための高度化したシステムおよび方法の必要性が存在する。
【発明の概要】
【発明が解決しようとする課題】
【０００６】
本発明は音楽認識に関し、より詳しくは、識別される音楽に関する様々な情報に基づいて音楽を識別するためのシステムおよび方法に関する。
【課題を解決するための手段】
【０００７】
本発明の様々な実施形態が音楽認識デバイスを提供している。そのような音楽認識デバイスは、現在再生中の曲の識別情報を組み込んだデータ信号を受信するように動作可能なデータ受信機を備えている。音楽認識デバイスは、メモリおよびプロセッサをさらに備えている。メモリは、プロセッサによって実行可能な、データ信号を構文解析するための命令、および識別情報がメモリに記憶されるようにするための命令を含んでいる。識別情報の少なくとも一部分は、現在再生中の曲が終了した後もメモリ内で維持される。前述の実施形態のうちのいくつかの例では、識別情報は曲の題名およびアーティストを含む。多くの場合、識別情報は音楽ソースの位置をさらに含む。さらに別の場合には、識別情報は、ユーザが曲を識別できるようにする目的で、題名と共に使用できる、曲の短い一部分をさらに含む。多くの場合、データ受信機は無線受信機である。そのような無線受信機は、限定ではないが、ＢｌｕｅｔｏｏｔｈまたはＷｉＦｉ（８０２.１１プロトコル）ネットワークを介して情報を受信できる。
【０００８】
前述の実施形態のうちのいくつかの例では、音楽認識デバイスは、音楽認識デバイスの位置を提供するように動作可能な位置回路を備え、音楽認識デバイスの位置が識別情報に関連付けられて記憶される。前述の実施形態のうちのいくつかの場合に、メモリは、プロセッサによって実行可能な、識別情報に関連付けてタイムスタンプを記憶するための命令をさらに含む。タイムスタンプは、現在再生中の曲がいつ再生されたかのおよその時刻を示す。１つまたは複数の例で、音楽認識デバイスは電子デバイスに組み込まれている。そのような電子デバイスは、限定ではないが、携帯電話、パーソナル・デジタル・アシスタント、ラップトップ・コンピュータ、デジタル音楽プレーヤおよびデジタル・ビデオ・プレーヤであってよい。
【０００９】
本発明の他の実施形態は音楽認識システムを提供している。そのようなシステムは音楽ソースを備えている。音楽ソースは、スピーカおよび無線データ送信機を備えている。音楽ソースは、無線データ送信機を介してデータ信号を伝送するように動作可能であり、スピーカを介してオーディオ信号を伝送するものである。オーディオ信号は、現在再生中の曲であり、データ信号は、現在再生中の曲の識別情報を含む。前述の実施形態のうちのいくつかの例では、音楽ソースは、限定ではないが、デジタル音楽プレーヤまたはラジオ受信機であってよい。前述の実施形態のうちのいくつかの例では、識別情報は曲の題名およびアーティストを含む。場合によっては、識別情報は音楽ソースの位置をさらに含む。
【００１０】
本発明のさらに別の実施形態は、音楽認識のための方法を提供している。それらの方法は、音楽認識デバイスを提供することを含む。音楽認識デバイスは、データ受信機およびメモリを備えている。それらの方法は、データ受信機でデータ信号を受信することをさらに含む。データ信号は、現在再生中の曲の識別情報を含む。それらの方法は、識別情報の少なくとも一部分をメモリに記憶すること、および現在再生中の曲が停止した後も識別情報のその一部分をメモリ内で維持することをさらに含む。場合によっては、それらの方法は、メモリから識別情報のその一部分にアクセスすること、および現在再生中の曲が停止した後、識別情報によって識別された曲を含む音楽媒体を注文するために識別情報の一部分を使用することをさらに含む。
【００１１】
本発明の別の実施形態は、データ受信機、プロセッサおよびメモリを備えた携帯電話を提供する。データ受信機は、現在再生中の曲の識別情報を含むデータ信号を受信するように動作可能である。メモリは、プロセッサによって実行可能な、データ信号を構文解析するための命令、および識別情報がメモリに記憶されるようにするための命令を含んでいる。さらに、メモリは、識別情報の少なくとも一部分を受信し、現在再生中の曲が終了した後も識別情報のその一部分を維持するために割り振り可能な一部分を備えている。
【００１２】
この概要は、本発明によるいくつかの実施形態を概説したにすぎない。本発明の多くの他の目的、特徴、利点および他の実施形態は、以下の詳細な説明、添付の特許請求の範囲および添付の図面から、より完全に明らかになろう。
【００１３】
本発明の様々な実施形態は、本明細書でこれ以降に説明される図を参照することにより、さらに良く理解できるであろう。図において、いくつかの図面にわたって、類似した構成要素を指すためには類似した参照番号が使用される。いくつかの例において、小文字から成るサブラベルを参照番号に関連付けて、複数の類似の構成要素の１つを表している。存在するサブラベルを指定せずに参照番号が参照された場合、そのような複数の類似した構成要素のすべてを指すことを意味する。
【図面の簡単な説明】
【００１４】
【図１】従来技術の音楽認識システムを表した図である。
【図２ａ】本発明の１つまたは複数の実施形態による音楽認識システムを示した図である。
【図２ｂ】本発明の様々な実施形態による移動体音楽認識デバイスのブロック図である。
【図２ｃ】本発明の様々な実施形態による、音楽認識デバイスを作動させるための方法を示した流れ図である。
【図３】本発明のいくつかの実施形態による、音楽関連のサービスを利用できるようにするためにさらに拡張された音楽認識システムを示した図である。
【図４】本発明のいくつかの実施形態による、音楽認識システムを作動させるための方法の流れ図である。
【図５】図４で説明された方法をさらに多少詳しく説明した流れ図である。
【発明を実施するための形態】
【００１５】
本発明は音楽認識に関し、より詳しくは、識別される音楽に関する様々な情報に基づいて音楽を識別するためのシステムおよび方法に関する。
【００１６】
図２ａに進むと、本発明の１つまたは複数の実施形態による音楽認識システム２００が示されている。音楽認識システム２００は、現在再生中の曲のオーディオ信号をスピーカ２３０を介して伝送できて、現在再生中の曲の識別情報を搬送するデジタル信号をデータ送信機２２０を介して伝送できる音楽ソース２１０を含む。音楽ソース２１０としては、限定ではないが、ラジオ周波数チューナ、コンパクト・ディスク・プレーヤ、ＭＰ３プレーヤ、前述のものの組み合わせなどを含んでよい。本発明の特定の一実施形態では、音楽ソース２１０は衛星ラジオ受信機である。本明細書で行われる開示に基づいて、当業者は、本発明の１つまたは複数の実施形態に関して使用できる無数の音楽ソースを認識するであろう。スピーカ２３０からのオーディオ信号は、１人の人が楽しむようにも、公共の場所または私的な場所に居ることがある人々のグループ２４０が楽しむようにも伝送できる。
【００１７】
データ送信機２２０は、無線ネットワークを介して通知メッセージ（すなわち、データ信号）を広めることができる任意の送信機でよい。したがって、例えば、データ送信機２２０は、Ｂｌｕｅｔｏｏｔｈプロトコル・ネットワークを介して情報を広めることができるＢｌｕｅｔｏｏｔｈ送信機であってよい。他の場合には、データ送信機２２０は、８０２.１１準拠の無線ネットワークを介して情報を広めることができるＷｉＦｉ送信機であってよい。本明細書で行われる開示に基づいて、当業者は、本発明の１つまたは複数の実施形態に関して使用できる様々なデータ送信機およびネットワーク・プロトコルを認識するであろう。
【００１８】
データ送信機２２０からのデータ信号は、その信号の範囲内に存在する１つまたは複数の音楽認識デバイス２５０が受信できるように送信される。そのような音楽認識デバイス２５０は、データ信号を受信し、そのデータ信号から、現在再生中の曲の識別情報を構文解析するための機能を有する。前述のように、データ信号は、特定の無線ネットワーク・プロトコルを介して伝送できる。そのような場合には、音楽認識デバイス２５０は、その特定のプロトコルを介してデータを受信できるようにするインターフェースを含むであろう。場合によっては、音楽認識デバイス２５０は、１つまたは複数の音楽認識機能を実行するように修正された消費者電子デバイスである。したがって、音楽認識デバイス２５０は、例えば、携帯電話、パーソナル・デジタル・アシスタント、ラップトップ・コンピュータ、デジタル音楽プレーヤおよびデジタル・ビデオ・プレーヤに組み込まれていてよい。本明細書で行われる開示に基づいて、当業者は、音楽認識デバイス２５０を組み込むことができる様々な消費者電子デバイスを認識するであろう。音楽認識デバイス２５０を他の一般的な消費者電子デバイスと合体させることにより、ユーザは、本明細書で説明される音楽認識機能を受信するための追加デバイスを持ち運ぶ必要がなくなる。
【００１９】
図２ｂに進むと、本発明の１つまたは複数の実施形態による移動体音楽認識デバイス２０１のブロック図が示されている。移動体音楽認識デバイス２０１は、図２ａの音楽認識デバイス２５０の代わりに使用できる。音楽認識デバイス２０１は、通信用にメモリ２１９に結合されたプロセッサ２１１を備えている。プロセッサ２１１は、メモリ２１９内で維持されている、音楽認識デバイス２０１に所望の機能を実行させるための１つまたは複数の命令を実行できる任意のデバイスでよい。メモリ２１９は、揮発性または不揮発性のメモリ、またはその何らかの組み合わせでよい。したがって、例えば、メモリ２１９としては、ハードディスク・ドライブ、ランダム・アクセス・メモリのバンク、およびキャッシュがある。本明細書で行われる開示に基づいて、当業者は、本発明の様々な実施形態に従って利用できる様々なメモリ・タイプおよびメモリ・アーキテクチャを認識するであろう。
【００２０】
音楽認識デバイス２０１は、通信用にアンテナ２３３に結合されたデータ受信機２１５をさらに備えている。前述のように、データ受信機２１５は、当業界で知られている、無線ネットワークを介してデータを受信できる任意の回路でよい。したがって、データ受信機２１５は、限定ではないが、Ｂｌｕｅｔｏｏｔｈプロトコル・データ受信機またはＷｉＦｉデータ受信機でよい。本明細書で行われる開示に基づいて、当業者は、音楽認識デバイス２０１に組み込むことができる様々な他のデータ受信機を認識するであろう。音楽認識デバイス２０１は、入出力インターフェース２３１をさらに備えている。入出力インターフェース２３１は、当業界で知られている１つまたは複数の入出力プロトコルをサポートすることができ、サポートされる入出力プロトコルとしては、限定ではないが、ＵＳＢ入出力プロトコル、ＲＳ２３２入出力プロトコル、またはＩＥＥＥ  １３９４入出力プロトコルがある。音楽認識デバイス２０１は、ビジュアル・ディスプレイ２２９からの情報を駆動および受信することができるグラフィカル・ユーザ・インターフェース２２５も備えている。場合によっては、音楽認識デバイス２０１は、通信ネットワーク・インターフェース２２１もさらに備えてよい。このインターフェースは、データ受信機２１５によってサポートされない別の形式の無線通信をサポートすることができる。多くの例の１つにすぎないが、通信ネットワーク・インターフェース２２１は、携帯電話ネットワークを介した通信をサポートできる。
【００２１】
音楽認識デバイス２０１の様々な要素は、１つまたは複数の既存の消費者電子デバイスにおいて見いだされることに留意されたい。したがって、既存の消費者電子デバイスにソフトウェアまたはファームウェアのアップグレードを追加することにより、音楽認識デバイス２０１を実現できることがある。既存の消費者電子デバイスに組み込まれたソフトウェアまたはファームウェアは、例えば、組み込んだ消費者電子デバイス内のプロセッサが、着信するデータ信号を絶えず受信し、着信したデータ信号から曲識別情報を取り出し、曲識別情報の少なくとも一部分を消費者電子デバイスのメモリに記憶し、識別情報が識別する曲の再生が停止した後のいつか、記憶された識別情報を取り出すようにすることができる。これにより、音楽認識デバイス２０１のユーザは、聴いたことがある曲のリストを後で取り出して、関心のある１つまたは複数の曲の名前およびアーティストを判定することができる。
【００２２】
場合によっては、ソフトウェアは、関連の曲の再生が停止した後のいつか、識別情報によって識別された曲を含む音楽媒体を注文するために、取り出された曲識別情報の一部分を使用するようにプロセッサによってさらに実行可能であってよい。このように、ユーザは、現在再生中の曲が停止した後のいつか、ユーザに都合のよいときに、識別された曲をＣＤ−ＲＯＭ、ＭＰ３ファイル、またはいずれか他のオーディオ媒体の形で購入できる可能性がある。さらに、場合によっては、ソフトウェアは、その曲を聴いたときのおよその時刻のタイムスタンプを曲識別情報に刻印するように、またはその曲を聴いた場所に関する位置情報を記憶するように、プロセッサによってさらに実行可能であってよい。したがって、ユーザが頭の中で繰り返される曲を判定するのに題名とアーティストだけでは十分でない場合、ユーザは、その識別された曲にいつ、どこで接したかについての状況情報を提供されるだろう。本明細書で行われる開示に基づいて、当業者は、本発明の様々な実施形態に従って曲識別情報と共に記憶できる他の状況情報を認識するであろう。
【００２３】
図２ｃに進むと、流れ図２８１は、本発明の様々な実施形態による、音楽認識デバイスを作動させるための方法を図で表している。流れ図２８１をたどると、オーディオ信号がスピーカ１２０から聞き手によって受信される（ブロック２８３）。オーディオ信号が使用可能であることに基づいて、聞き手は、身に着けている移動体音楽認識デバイス２５０を使用できるようにしたいことがあるだろう（ブロック２８５）。移動体音楽認識デバイス２５０が使用可能になっている場合（ブロック２８５）、移動体音楽認識システム２５０は、オーディオ信号に対応するデータ信号が伝送されているかを判定しようとする。データ信号が使用可能な場合、データ信号は移動体音楽認識デバイス２５０によって受信される（ブロック２８７）。データ信号は、伝送されるオーディオ信号に関連付けられたメタデータであってよい。本明細書で使用される場合、用語「メタデータ」は広義の意味で使用されており、オーディオ信号（例えば、音楽伝送）にとっては重要ではないが、オーディオ信号に加えて、オーディオ信号に関係のある情報を提供する情報のことである。したがって、オーディオ信号に対応するメタデータとしては、限定ではないが、現在再生中の曲の題名、現在再生中の曲のアーティスト、アーティストに関する経歴情報、現在再生中の曲を含む媒体の所在地および購入に関する購入情報、オーディオ信号を再生しているソースの位置などを含んでよい。本明細書で行われる開示に基づいて、当業者は、本発明の様々な実施形態に従ってデータ信号に含むことができる様々な他の情報を認識するであろう。
【００２４】
前述のデータ信号は、関連の曲がスピーカ１２０を介して再生されている間、繰り返し伝送することができる。伝送は、ヘッダまたは同期情報を含むことができ、それにより、受信側のデバイスは、データ信号の先頭と末尾を識別することができる。データ信号が特定のネットワーク・プロトコルに従って伝送されるいくつかの場合には、ヘッダおよび同期データは、その特定のプロトコルに従って提供される。
【００２５】
受信されると（ブロック２８７）、データ信号が構文解析されて、所望の情報がそのデータ信号から抽出される（ブロック２８９）。抽出された情報は、以前のデータ信号から取り出された情報と比較され、情報が新しいかどうかが判定される（ブロック２９１）。データ信号は、抽出された情報が、以前のデータ信号から受信した情報と一致するまで引き続いて受信される。データ信号から抽出された情報が新しい場合、それは新しい曲であることを表すが、データ伝送時刻も抽出される（ブロック２９３）。データ伝送時刻は、日付および時間と分による時刻を含むことができる。さらに、位置タグまたは伝送ソースを識別する情報が抽出される（ブロック２９５）。位置タグは、ラジオ周波数、ラジオ局呼び出し文字、コンパクト・ディスク・プレーヤ、ＭＰ３プレーヤ、前述のものの組み合わせなどの情報を含むことができる。次の３種類の情報、すなわち、音楽識別情報、伝送時刻および伝送ソースが電子デバイスのメモリに記録される（ブロック２９７）。場合によっては、識別情報と共にオーディオ信号の小さい一部分も電子デバイスのメモリに記録することができ、それにより、聞き手は後でその小さい一部分を聴いて、それを使用して特定の曲を識別することができる。
【００２６】
ユーザは、身に着けている移動体音楽認識デバイス２５０を使用不可にしたいこともあるだろう（ブロック２９９）。ユーザが移動体音楽認識デバイス２５０を使用不可にすると、その音楽認識デバイスは、その後は、オーディオ信号に関連付けられたデータ信号を受信または処理しなくなる。音楽認識デバイスは、ユーザが再び移動体認識デバイス２５０を使用可能にしたいと思う、オーディオ信号を引き続いて受信する。
【００２７】
図３に進むと、本発明のいくつかの実施形態による音楽認識システム３００のブロック図が示されている。前述の音楽認識システム２００とは対照的に、音楽認識システム３００は、音楽認識デバイスを介してアクセスできる音楽関連のサービスを利用できるようにするために拡張されている。音楽認識システム３００は、現在再生中の曲のオーディオ信号をスピーカ３３０を介して伝送できて、現在再生中の曲の識別情報を搬送するデジタル信号をデータ送信機３２０を介して伝送できる音楽ソース３１０を含む。音楽ソース３１０としては、限定ではないが、ラジオ周波数チューナ、コンパクト・ディスク・プレーヤ、ＭＰ３プレーヤ、および／または前述のものの組み合わせを含んでよい。本発明の特定の一実施形態では、音楽ソース３１０は衛星ラジオ受信機である。本明細書で行われる開示に基づいて、当業者は、本発明の１つまたは複数の実施形態に関して使用できる無数の音楽ソースを認識するであろう。スピーカ３３０からのオーディオ信号は、１人の人が楽しむようにも、公共の場所または私的な場所に居ることがある人々のグループ３４０が楽しむようにも伝送できる。
【００２８】
データ送信機３２０は、無線ネットワークを介して通知メッセージ（すなわち、データ信号）を広めることができる任意の送信機でよい。したがって、例えば、データ送信機３２０は、Ｂｌｕｅｔｏｏｔｈプロトコル・ネットワークを介して情報を広めることができるＢｌｕｅｔｏｏｔｈ送信機であってよい。他の場合には、データ送信機３２０は、８０２.１１準拠の無線ネットワークを介して情報を広めることができるＷｉＦｉ送信機であってよい。本明細書で行われる開示に基づいて、当業者は、本発明の１つまたは複数の実施形態に関して使用できる様々なデータ送信機およびネットワーク・プロトコルを認識するであろう。
【００２９】
データ送信機３２０からのデータ信号は、その信号の範囲内に存在する１つまたは複数の音楽認識デバイス３５０が受信できるように送信される。そのような音楽認識デバイス３５０は、データ信号を受信し、そのデータ信号から、現在再生中の曲の識別情報を構文解析するための機能を有する。前述のように、データ信号は、特定の無線ネットワーク・プロトコルを介して伝送できる。そのような場合には、音楽認識デバイス３５０は、その特定のプロトコルを介してデータを受信できるようにするインターフェースを含むであろう。場合によっては、音楽認識デバイス３５０は、１つまたは複数の音楽認識機能を実行するように修正された消費者電子デバイスである。したがって、音楽認識デバイス３５０は、例えば、携帯電話、パーソナル・デジタル・アシスタント、ラップトップ・コンピュータ、デジタル音楽プレーヤおよびデジタル・ビデオ・プレーヤに組み込まれていてよい。本明細書で行われる開示に基づいて、当業者は、音楽認識デバイス３５０を組み込むことができる様々な消費者電子デバイスを認識するであろう。音楽認識デバイス３５０を他の一般的な消費者電子デバイスと合体させることにより、ユーザは、本明細書で説明される音楽認識機能を受信するための追加デバイスを持ち運ぶ必要がなくなる。
【００３０】
前にも示唆したように、ユーザは、音楽認識デバイス３５０を使用して、通信ネットワーク３７０を介して他の音楽関連のサービスにアクセスすることができる。通信ネットワークは、限定ではないが、インターネット、携帯電話ネットワーク、仮想私設通信ネットワーク、前述のものの組み合わせなどの任意の数の通信ネットワークであってよい。本明細書で行われる開示に基づいて、当業者は、本発明の１つまたは複数の実施形態に関して使用できる様々な通信ネットワークを認識するであろう。他の音楽関連のサービスにアクセスするには、ユーザは、前に記憶された曲識別情報を選択して、購入または他の表示されたコマンドを選択してもよい。コマンドを選択すると、音楽認識デバイス３５０でインターネット・ブラウザ・アプリケーションが実行され、インターネット・ブラウザ・アプリケーションは、そのコマンドを満たすことができるウェブサイトに誘導される。そのようなウェブサイトは、ＵＲＬまたは他のアドレス指定方法を使用してアクセスできる。図示されているように、音楽認識システム３００は、２つのアクセス可能なサーバ３８０および３９０を含んでおり、それらは、それぞれ、アクセス可能な情報のそれぞれのデータベース３８５、３９５に関連付けられている。サーバ３８０、３９０は、それぞれ、異なるサービス、または異なる供給者からの同じサービスをサポートしてよい。加えて、サーバ３８１は、音楽ソース３１０、または音楽ソース３１０がアクセスされる場所のどちらか、または両方にフィードバックを返すように設計できる。
【００３１】
したがって、例えば、コマンドが「購入（ｐｕｒｃｈａｓｅ）」コマンドの場合、ユーザを、選択した曲が購入用に入手可能であるインターネット・ウェブサイトに誘導できる。すると、ユーザは、選択した曲を、例えばＣＤ−ＲＯＭ、ＭＰ３ダウンロード、着メロなどの使用可能な媒体で購入することができる。本明細書で行われる開示に基づいて、当業者は、本発明の１つまたは複数の実施形態に従って満たすことができる様々な購入オプションを認識するであろう。購入を有効にするには、電子要求が音楽認識デバイスから、アクセスされたＵＲＬをサポートするサーバ３８０に送信される。サーバ３８０は、データベース３８５など、いくつかの情報ソースに通信用に結合されたプロセッサ３８０を介して他のサービスに通信用に結合されていてよい。プロセッサ３８０は、データベース３８５から情報を得るための、メモリに記憶されている構造化されたデータ集合である１つまたは複数の命令を実行できる任意のデバイスであってよい。
【００３２】
あるいは、コマンドが「詳細情報（ｍｏｒｅ  ｉｎｆｏｒｍａｔｉｏｎ）」コマンドの場合、ユーザを、特定の曲、または特定の曲を作曲したアーティストに関する詳細な情報を掲載したウェブサイトに誘導できる。追加情報としては、限定ではないが、アーティストの情報、ファン・クラブの情報、関連のアルバム、関連のアーティストなど、他の関連音楽情報を含んでよい。この追加情報は、前述の購入サーバからの別のサーバによってサポートされる別のサービスから、または同じ購入サーバによってサポートされる同じサービスから入手できることもある。
【００３３】
サーバ３８０、３９０の１つまたは複数を介して購入または詳細情報が要求された場合、その情報は、音楽ソース３１０、および／または音楽が聴かれた場所にフィードバックすることができる。したがって、例えば、特定の曲が識別されて、音楽認識デバイス３５０に記憶されるとき、その情報には、曲が聴かれた施設の識別情報および／または曲を再生した音楽ソース３１０を含むことができる。音楽認識デバイス３５０を使用して曲の購入を有効にしたか、またはサーバ３８０、３９０のどちらかまたは両方を介して曲に関する追加情報を要求した場合、その情報をフィードバック・サーバ３８１にフィードバックすることができる。すると、フィードバック・サーバ３８１は、顧客の好みの音楽タイプを判定するための市場調査として情報を使用する１人または複数の受信者にその情報を渡すことができる。別法として、または追加として、音楽ソース３１０または購入の照会先の施設のどちらかまたは両方に対して支払いを行うことができる。本明細書で行われる開示に基づいて、当業者は、本発明の１つまたは複数の実施形態に従って実施できる様々な他のフィードバックおよび／または支払いのシナリオを認識するであろう。
【００３４】
図４に進むと、流れ図４００は、本発明のいくつかの実施形態による、音楽認識システムを作動させるための方法を図で表している。流れ図４００をたどると、音楽およびデータ信号（ブロック４０５）が、デジタル音楽プレーヤなどの音楽ソースによって伝送され、ラジオ受信機などのデバイスによって受信され（ブロック４１０）、このとき、音楽ソースは、スピーカを介してオーディオ信号の伝送に動作可能である（ブロック４１５）。音楽ソースは、現在再生中の曲の識別情報などを含むデータ信号も伝送し（ブロック４２０）、そのデータ信号は、音楽認識機能を含むように修正され、８０２.１１プロトコルからなるグループから選択されたプロトコルを使用する音楽認識デバイス３５０（パーソナル・コンピュータ、ノートブック・コンピュータ、パーソナル・デジタル・アシスタント、携帯電話など）によって受信される（ブロック４６０）。音楽認識デバイスによって受信されると、そのデータは、音楽認識デバイス３５０のメモリ内に記録される（ブロック４５０）。本明細書で行われる開示に基づいて、当業者は、本発明の様々な実施形態に従って音楽認識デバイスを組み込むことができる様々な電子デバイス・タイプおよび／または受信機を認識するであろう。
【００３５】
ユーザは、識別情報のすべてを管理する目的で、または識別情報の一部分を使用するために、音楽認識システムのメモリ内に記憶されている識別情報にアクセスすることができる（ブロック４５０）。各識別情報を次々とソートすることにより、ユーザは、後で使用する特定の識別情報にマークを付けることを選択できる（ブロック４７０）。識別情報のマーク付けは、音楽認識システムのプロセッサ・メモリ２１９に記憶されている命令を実行するためのボタンを押すことにより行えるが（ブロック４５０）、ボタンを押すことで、識別情報に認識文字が付加される。後刻、ユーザは、プロセッサ・メモリ２１９に記憶されている命令群を再度実行することができ、それには、検索を実行して、前にマークを付けたすべての識別情報を探して、表示することが含まれる。所望の識別情報を検出すると、ユーザは、それをさらに使用するために選択を望むことがあるだろう（ブロック４７０）。選択されると、識別情報の一部分が、識別情報によって識別された曲を含む音楽媒体を注文するために使用できる。検索要求は、所望の音楽選択項目を探すために購入サイトにルーティングされる（ブロック４７５）。見つかったら、ユーザは、音楽注文の購入を完了することを選択できる（ブロック４８０）。再度、ユーザは、プロセッサ・メモリ２１９に記憶されている命令を実行することにより、代替サーバ・データベースを検索するため、または追加のアーティスト情報、アーティスト・ファン・クラブ、またはユーザが興味深いと感じそうな他の音楽選択項目に関したアクセス関連情報が記載されているサイトなどのインターネットのウェブサイトを検索するために識別情報の一部分を使用することを選択できる（ブロック４８５）。
【００３６】
ユーザは、電子デバイスのメモリに記録された、数が増え続ける音楽識別情報を管理したいこともあるだろう（ブロック４９０）。各識別情報を見直している間、ユーザは、将来使用できるように各識別情報を保持したくなることがあるだろう（ブロック４９３）。あるいは、ある識別情報が必要なくなった場合、音楽認識システムのプロセッサ・メモリ２１９に記憶された命令を実行することにより（ブロック４５０）、その識別情報を永続的に除去することもできる（ブロック４９６）。
【００３７】
図５に進むと、流れ図は、図４で説明された方法の多少追加的な詳細を示している。電子デバイス３５０内の音楽認識システム（ブロック４５０）は、識別情報を作動および管理することができるメニュー・システムを含むことができる。メニュー・ナビゲーションおよびメニュー項目選択は、電子デバイス３５０上のボタンにより制御することができ、ボタンは、押されると、プロセッサ・メモリ２１９に記憶された命令を実行する。電子デバイス３５０は、限定ではないが、デジタル音楽プレーヤ、デジタル・ビデオ・プレーヤ、ラップトップ・コンピュータ、パーソナル・デジタル・アシスタント、携帯電話など、プロセッサ・ベースの任意のデバイスであってよい。本明細書で行われる開示に基づいて、当業者は、本発明の様々な実施形態による音楽認識デバイスを組み込むことができる様々な電子デバイス・タイプおよび／または受信機を認識するであろう。
【００３８】
音楽認識メニュー・システム（ブロック４５０）のオプション１（ブロック５１０）により、ユーザは音楽認識システムを活動化または非活動化できる。メニュー・システムをナビゲートするとき、ユーザは、プロセッサ・メモリ２１９に記憶されている命令を実行するために、システムを活動化または非活動化するトグルとして機能する、電子デバイス上のボタンを押すことができる。システムを活動化すると、電子デバイス３５０は音楽データを受信し、記録するようになる。システムを非活動化すると、音楽データの受信はできなくなる。
【００３９】
オプション２により、ユーザは識別情報を使用および管理できる（ブロック５２０）。各識別情報の見直しが完了したら、ユーザは、前述のように、関連情報についての他のインターネット・ロケーションを検索するために特定の識別情報を選択して、使用することを選択できる。ユーザは、将来のアクセスをより便利に行えるように識別情報を再編成および／またはグループ化するために、プロセッサ・メモリ２１９に記憶されている命令を実行することにより、保存されている識別情報を管理することも選択できる。または、ユーザは、今後は必要ない識別情報、または使用されていない識別情報を削除することを選択できる。
【００４０】
オプション３により、ユーザは、音楽データの受信先の場所を選択し（ブロック５４０）、識別情報記録タイプを選択し（ブロック５５０）、および／またはユーザが記録を所望するデータ・タイプを選択する（ブロック５６０）ことにより、音楽認識システムを構成できる（ブロック５３０）。ユーザは、音楽データ伝送の受信先の場所を選択したいことがあるだろう。ソース・オプションとしては、特定のラジオ周波数帯域幅、ローカル・コンパクト・ディスク・プレーヤ、ローカル・ステレオ伝送などを含んでよい。本明細書で行われる開示に基づいて、当業者は、本発明の様々な実施形態に従って利用できる様々な音楽伝送デバイス・タイプおよび／または受信機を認識するであろう。
【００４１】
識別情報記録オプション（ブロック５５０）としては、連続識別情報記録ストリームを使用可能にすること、関連の識別情報が記録されている曲の「スナップショット」を受信して記録すること、識別情報を記録する時間範囲を指定することなどを含むことができる。連続ストリームを使用可能にすると、識別情報は、そのオプションが使用不可にされるまで、無限に受信され、記録される。ユーザが所望の曲のアーティストおよび題名を知りたいが、それがいつ伝送（再生）されるかを知らない可能性がある場合、楽曲が認識される時刻までこのオプションを使用可能にしておくこともできるし、またはユーザが、プロセッサ・メモリ２１９に記憶されている命令を実行することにより、連続データ・ストリームを使用不可にすることを選択する。
【００４２】
好ましい曲を聴き終えたとき、ユーザは、伝送されている音楽データ信号の「スナップショット」を取ることを選択できる。ユーザはボタンを押すか、メニュー選択を行ってプロセッサ・メモリ２１９に記憶された命令を実行し、音楽認識システム（ブロック４５０）を直ちに使用可能にして、伝送されているデータ信号を記録するようにすることができる。音楽データ信号は、新しい識別情報が受信されるまで、受信され続ける。新しい識別情報が受信されると、第１の識別情報が記録され、音楽認識システム（ブロック４５０）はその後のデータ信号受信を不可にする。このオプションは、後で管理しなければならないメモリ内に記憶された識別情報の数も制限する。
【００４３】
ユーザは、プロセッサ・メモリ２１９に記憶された命令を実行することにより、識別情報を記録する期間の制限を指定するための柔軟性を所望することもできる。これは、特に、ユーザが、指定された期間中に特定の音楽識別情報が生じることを知っている場合、将来の管理が必要になるであろう受信されるデータの量を制限することになる。さらに、ユーザは、ユーザがデバイスを活動化または非活動化できない状態にある期間中に記録するための時間設定値を調整することができる。例えば、ユーザは、プロセッサ・メモリ２１９に記憶された命令を実行することにより、音楽認識システムを、ユーザが電子デバイス３５０から物理的に離れている可能性のある午前８時に自動的に使用可能にし、午後１２時に使用不可にするように時間設定値を調整することができる。
【００４４】
ユーザは、任意の識別情報に関するデータ信号から記録される情報のタイプを制御（ブロック５６０）したいこともあるだろう。ユーザは、プロセッサ・メモリ２１９に記憶された命令を実行することにより、音楽データ伝送の日付および／または時刻、伝送ソースなどを記録するためのオプションを使用不可または使用可能にすることができる。日付および／または時刻のタイムスタンプはさらに詳細な情報を提供し、それによりユーザは、より迅速に、所望の曲の特定の識別情報を探せるようになる。例えば、ユーザは音楽認識システムを使用可能にしておいて、昼間中、レストランなどの一定の場所で、正午から午後１時までの間、所望の曲を聴く。ユーザの都合のよいときに、ユーザは、正午から午後１時の間に記録された全識別情報を検索して、より容易に関連の識別情報を探すことができる。加えて、ユーザは、プロセッサ・メモリ２１９に記憶された命令を実行することにより、電子デバイス３５０のメモリに記録されるデータの量を制限するために日付および／または時刻のタイムスタンプを使用不可にすることを選択できる。また、他のオプション（ブロック５７０）では、ユーザに、識別情報の受信、記録および管理のさらなる柔軟性が提供できる。
【００４５】
最後になるが、本発明は、音楽認識に関する新規のシステム、デバイス、方法および仕組みを提供する。本発明の１つまたは複数の実施形態の詳細を上で説明したが、当業者には、本発明の精神から逸脱することなく、様々な代替形態、修正および均等物が明らかであろう。したがって、上述の説明は本発明の範囲を限定するものと解釈すべきではなく、本発明の範囲は、添付の特許請求の範囲によって定義されるものとする。
【図１】
2010530547.tif 000003
【図２ａ】
2010530547.tif 000004
【図２ｂ】
2010530547.tif 000005
【図２ｃ】
2010530547.tif 000006
【図３】
2010530547.tif 000007
【図４】
2010530547.tif 000008
【図５】
2010530547.tif 000009
【手続補正書】
【提出日】平成22年2月15日(2010.2.15)
【手続補正１】
【補正対象書類名】特許請求の範囲
【補正対象項目名】全文
【補正方法】変更
【補正の内容】
【特許請求の範囲】
【請求項１】
データ信号を受信するように動作可能なデータ受信機であって、前記データ信号が、現在再生中の曲の識別情報を含む、データ受信機と、
プロセッサと、
メモリであって、前記プロセッサによって実行可能な、
前記データ信号を構文解析するための命令、および前記識別情報が前記メモリに記憶されるようにするための命令
を含むメモリと
を備えた携帯電話であって、
前記メモリが、前記識別情報の少なくとも一部分を受信し、前記現在再生中の曲が終了した後も前記識別情報の前記一部分を維持するために割り振り可能な一部分を備える、携帯電話。
【請求項２】
データ信号を受信するように動作可能なデータ受信機であって、前記データ信号が、現在再生中の曲の識別情報を含む、データ受信機と、
メモリと、
プロセッサであって、前記メモリが、プロセッサによって実行可能な、
前記データ信号を構文解析するための命令、および前記識別情報が前記メモリに記憶されるようにするための命令
を含むプロセッサと
を備えた音楽認識デバイスであって、
前記現在再生中の曲が終了した後も前記識別情報の少なくとも一部分が前記メモリ内で維持される、音楽認識デバイス。
【請求項３】
前記識別情報が曲の題名およびアーティストを含む、請求項２に記載の音楽認識デバイス。
【請求項４】
前記識別情報が音楽ソースの位置をさらに含む、請求項３に記載の音楽認識デバイス。
【請求項５】
前記音楽認識デバイスが、前記音楽認識デバイスの位置を提供するように動作可能な位置回路を備え、前記音楽認識デバイスの前記位置が前記識別情報に関連付けられて記憶される、請求項２に記載の音楽認識デバイス。
【請求項６】
前記メモリが、前記プロセッサによって実行可能な、前記識別情報に関連付けてタイムスタンプを記憶するための命令をさらに含み、前記タイムスタンプが、前記現在再生中の曲がいつ再生されたかのおよその時刻を示す、請求項２に記載の音楽認識デバイス。
【請求項７】
携帯電話、パーソナル・デジタル・アシスタント、ラップトップ・コンピュータ、デジタル音楽プレーヤおよびデジタル・ビデオ・プレーヤからなるグループから選択された電子デバイスに組み込まれた、請求項２に記載の音楽認識デバイス。
【請求項８】
前記データ受信機が無線受信機である、請求項２に記載の音楽認識デバイス。
【請求項９】
前記無線受信機が、８０２．１１プロトコルおよびＢｌｕｅｔｏｏｔｈプロトコルからなるグループから選択されたプロトコルを使用して情報を受信できる、請求項８に記載の音楽認識デバイス。
【請求項１０】
スピーカおよび無線データ送信機を備えている音楽ソースであって、前記無線データ送信機を介してデータ信号を伝送するように動作可能であり、前記スピーカを介してオーディオ信号を伝送するように動作可能であり、前記オーディオ信号が現在再生中の曲であり、前記データ信号が、現在再生中の曲の識別情報を含む、音楽ソース
を備えた音楽認識システム。
【請求項１１】
前記音楽ソースが、デジタル音楽プレーヤおよびラジオ受信機からなるグループから選択される、請求項１０に記載の音楽認識システム。
【請求項１２】
前記識別情報が曲の題名およびアーティストを含む、請求項１０に記載の音楽認識システム。
【請求項１３】
前記識別情報が前記音楽ソースの位置をさらに含む、請求項１１に記載の音楽認識システム。
【請求項１４】
前記無線データ送信機が、８０２．１１プロトコルおよびＢｌｕｅｔｏｏｔｈプロトコルからなるグループから選択されたプロトコルを使用して情報を送信できる、請求項１０に記載の音楽認識システム。
【請求項１５】
音楽認識のための方法であって、
データ受信機と、
メモリと
を備えた音楽認識デバイスを提供することと、
前記データ受信機で、現在再生中の曲の識別情報を含むデータ信号を受信することと、
前記識別情報の少なくとも一部分を前記メモリに記憶することと、
前記現在再生中の曲が停止した後も前記識別情報の前記一部分を前記メモリ内で維持することと
を含む方法。
【国際調査報告】
2010530547.tif 000010